(57)【要約】【課題】【解決手段】紙の製織キット１００は、ボックス状本体１０６を有している。本体１０６の頂部は、製織補助具１０７を形成する。ケン縮装置１０８が本体１０６の一側部に取り付けられている。取り外し可能なシートの引裂き装置１０９が本体１０６の前端にて本体１０６内に摺動可能に取り付けられている。シート引裂き装置１０９を使用して新聞又は同様のもののシートから紙ストリップを引き裂くことができる。その後、このストリップはケン縮装置１０８を通して供給し、該ケン縮装置が紙ストリップの折り畳み線をケン縮する。次に、紙ストリップは折り畳み線の回りにて折り畳み製織要素を形成し、多数の製織要素は、横に並べた状態にて製織補助具１０７の支持パネル１１２上に取り付けられる。これらの製織要素は、クランプ１１５により支持パネル１１２に対して締結され、このため支持パネル１１２から伸びる多数の並置した縦糸製織要素を形成する。次に、横糸製織要素をパネル１１２上の縦糸製織要素を通じて織って紙製織要素の織ったパネルを形成する。
2008519172.tif 000002
【特許請求の範囲】
【請求項１】
紙の製織キットにおいて、
紙の製織要素を形成する、所望の幅の紙ストリップを紙シートから引裂く手段と、
複数の前記紙製織要素を平行に把持し且つ支持して１組の縦糸製織要素を形成する手段を有する製織補助具とを備え、
該把持手段は、紙の製織要素と係合して該紙の製織要素が外方に突き出して、関係した横糸製織要素と相互に製織されるようにした、紙の製織キット。
【請求項２】
請求項１に記載の紙の製織キットにおいて、把持手段は、把持手段から外方に伸びて把持手段によって保持された製織要素を支持する支持パネルに取り付けられる、紙の製織キット。
【請求項３】
請求項１又は２に記載の紙の製織キットにおいて、把持手段はクランプである、紙の製織キット。
【請求項４】
請求項２又は３に記載の紙の製織キットにおいて、支持パネルの表面は、多数の並置したレーンに分割され、該レーンの各々は前記紙製織要素の１つを受け入れる、紙の製織キット。
【請求項５】
請求項４に記載の紙の製織キットにおいて、支持パネルの表面は、パネルの表面の上方に突き出し且つ、把持手段から外方に伸びてレーンを形成する複数の隔てられた平行な長手方向リブと、隣接する各対のリブの間にて形成される紙製織要素を受け入れるレーンとにより分割される、紙の製織キット。
【請求項６】
請求項４に記載の紙の製織キットにおいて、支持パネルの表面は、支持パネルの表面に標識された表示によってレーンに分割される、紙の製織キット。
【請求項７】
請求項１ないし６の何れか１つの項に記載の紙の製織キットにおいて、把持手段により保持された並列に並んだ製織要素内の１つおきの製織要素の各々を持ち上げるよう作動可能な持ち上げ手段が提供される、紙の製織キット。
【請求項８】
請求項７に記載の紙の製織キットにおいて、持ち上げ手段は、支持体に取り付けられた複数の持ち上げアームを有し、該持ち上げアームは、支持パネルの下方の降下した不作動位置と、支持パネルの上方の上昇した作動位置との間を可動である、紙の製織キット。
【請求項９】
請求項８に記載の紙の製織キットにおいて、持ち上げ手段は、クランプから隔てられて支持パネルに隣接する位置に取り付けられた回転可能な主軸を備え、前記回転可能な主軸は、主軸支持体に回転可能に取り付けられ、前記回転可能な主軸は、主軸を主軸の支持体にて回転させる駆動手段と、主軸から半径方向外方に突き出す多数の隔てられた持ち上げアームとを有し、持ち上げアームの各々が支持パネルにてレーンの１つと整合され且つ、主軸の回転によって支持パネルの下方の不作動位置と、支持パネルの上方を伸びる上昇した作動位置との間を可動である、紙の製織キット。
【請求項１０】
請求項９に記載の紙の製織キットにおいて、隔てられた少なくとも２組の持ち上げアームが主軸に提供され、各組の持ち上げアーム中の持ち上げアームは、支持パネルの１つおきのレーンの各々と整合され、第一の組の持ち上げアーム中の持ち上げアームは、支持パネルの奇数番号のレーンと整合し、第二の組の持ち上げアーム中の持ち上げアームは、支持パネルの偶数番号のレーンと整合する、紙の製織キット。
【請求項１１】
請求項８ないし１０の何れか１つの項に記載の紙の製織キットにおいて、持ち上げアームは、作動位置と不作動位置との間を可動であるよう支持パネルの関係したスロットを通って動くことができる、紙の製織キット。
【請求項１２】
請求項９又は１０に記載の紙の製織キットにおいて、主軸は、把持手段から遠方の支持パネルの一端に隣接して取り付けられ、前記持ち上げアームは、支持パネルの前記端部から外方に突き出す製織要素の下側部と係合可能である、紙の製織キット。
【請求項１３】
請求項１ないし１２の何れか１つの項に記載の紙の製織キットにおいて、シートの引裂き装置は、１つの長い端縁に沿って互いにヒンジ式に接続された１対の細長いフラップを備え、該フラップの１つの自由端縁は、引裂き端縁を形成し、前記フラップの幅は、形成すべき紙ストリップの所望の幅に相応する、紙の製織キット。
【請求項１４】
請求項１ないし１３の何れか１つの項に記載の紙の製織キットにおいて、シートの引裂き装置は、その間にて紙シートを受け取り得るようにヒンジ式に接続された少なくとも１つの引裂きフラップを有する基部パネルを備える、紙の製織キット。
【請求項１５】
請求項１４に記載の紙の製織キットにおいて、２つの引裂きフラップは、基部パネルの両側部にヒンジ式に取り付けられ、前記引裂きフラップは異なる幅である、紙の製織キット。
【請求項１６】
請求項１４又は１５に記載の紙の製織キットにおいて、クリップは、基部パネルと引裂きフラップとの間に取り付けられたシートの内側端縁と係合し且つ、該内側端縁を保持するよう基部パネルに取り付けられ、また、引裂きフラップが基部パネルに対して折り畳まれたときクリップを受け入れるスロットが引裂きフラップに提供される、紙の製織キット。
【請求項１７】
請求項１ないし１６の何れか１つの項に記載の紙の製織キットにおいて、前記紙ストリップを折り畳んで紙製織要素を形成し易くするため紙ストリップに折り畳み線を標識するよう作動可能な折り畳みインジケータ装置が提供される、紙の製織キット。
【請求項１８】
請求項１７に記載の紙の製織キットにおいて、折り畳みインジケータ装置は、紙ストリップの折り畳み線をケン縮するケン縮装置を備える、紙の製織キット。
【請求項１９】
請求項１８に記載の紙の製織キットにおいて、ケン縮装置は、紙ストリップを受け入れ且つ紙ストリップをローラの間に完全に通過させる１対の回転可能なローラを有しており、前記ローラは、ローラ支持体に回転可能に取り付けられ、ローラをローラ支持体の上にて回転させる駆動手段と、前記ローラの第一のローラの外方に突き出す１つ又はより多くの周縁リブと、前記ローラの第二のローラに設けられた各リブと関係した相補的な周縁溝とを備える、紙の製織キット。
【請求項２０】
請求項１９に記載の紙の製織キットにおいて、紙ストリップをローラの間に送り出す供給シュートが提供される、紙の製織キット。
【請求項２１】
請求項２０に記載の紙の製織キットにおいて、供給シュートは、紙ストリップをローラに対して所望の向きに送り出す案内手段を有する、紙の製織キット。
【請求項２２】
請求項２１に記載の紙の製織キットにおいて、シュートは、摺動パネルの各側部に、案内手段を形成する直立のフランジを有する平坦な摺動パネルを備える、紙の製織キット。
【請求項２３】
請求項１ないし２２の何れか１つの項に記載の紙の製織キットにおいて、製織補助具が組み込まれ、シートの引裂き装置が取り付けられるハウジングを備える、紙の製織キット。
【請求項２４】
請求項２３に記載の紙の製織キットにおいて、シートの引裂き装置は、ハウジングにて関係した受け口（ソケット）内に摺動可能に取り付けられる、紙の製織キット。
【請求項２５】
請求項２５に記載の紙の製織キットにおいて、ケン縮装置がハウジングに取り付けられる、紙の製織キット。
【請求項２６】
請求項２５に記載の紙の製織キットにおいて、ケン縮装置は、ハウジングに対して格納された位置と、外方に伸びた使用位置との間にてケン縮装置が動くのを許容する自在動作取り付け部によってハウジングに取り付けられる、紙の製織キット。
【請求項２７】
請求項２３ないし２６の何れか１つの項に記載の紙の製織キットにおいて、格納引出しがハウジングに取り付けられる、紙の製織キット。
【請求項２８】
請求項２３ないし２７の何れか１つの項に記載の紙の製織キットにおいて、ハウジングは、下方に垂下する側壁を有する製織補助具を形成する頂部を有しており、該側壁内に製織補助具の下方にてシートの引裂き装置及び格納引出しが収容される、紙の製織キット。
【請求項２９】
請求項２８に記載の紙の製織キットにおいて、持ち上げ手段の主軸は、側壁の両側部の間にて回転可能に取り付けられる、紙の製織キット。
【請求項３０】
請求項１ないし２９の何れか１つの項に記載の紙の製織キットにおいて、細長いシェイパーストリップを備え、該細長いシェイパーストリップの回りに紙ストリップを巻き付けて所望の幅の製織要素を形成することができる、紙の製織キット。
【請求項３１】
請求項１ないし３０の何れか１つの項に記載の紙の製織キットにおいて、一端に紙の把持切欠きを有する細長い紙ローリングロッドを備える、紙の製織キット。
【請求項３２】
請求項１ないし３１の何れか１つの項に記載の紙の製織キットにおいて、所望の形状の本体を有するフォーマを備えており、該フォーマの回りにて製織要素を織って前記所望の形状の物品を形成することができる、紙の製織キット。
【発明の詳細な説明】
【技術分野】
【０００１】
本発明は、製織、特に、古新聞及び古雑誌を使用して装飾用及び実用物品を製織することに関する。
【背景技術】
【０００２】
古新聞及び古雑誌によって多量の古紙が生じる。
【発明の開示】
【発明が解決しようとする課題】
【０００３】
本発明の１つの目的は、この古紙を有用で且つ好ましい態様にて再使用し又はリサイクルすることを容易にすることである。
【課題を解決するための手段】
【０００４】
本発明に従って、紙の製織要素を形成する所望の幅の紙ストリップを紙シートから引裂く手段と、複数の前記紙製織要素を平行に把持し且つ支持して１組の縦糸製織要素を形成する手段を有する製織補助具とを備え、該把持手段は、紙の製織要素と係合して該紙の製織要素が外方に突き出して、関係した横糸製織要素と相互に製織されるようにした、紙の製織キットが提供される。
【０００５】
本発明の別の実施の形態に従い、支持パネルに取り付けられた把持手段が提供され、該パネルは、把持手段から外方に伸びて把持手段によって保持された製織要素を支持する。
【０００６】
本発明の１つの実施の形態に従い、把持手段はクランプである。
【０００７】
本発明の１つの実施の形態において、支持パネルの表面は、多数の並置したレーンに分割され、該レーンの各々が上記紙製織要素の１つを受け入れる。
【０００８】
本発明の別の実施の形態において、支持パネルの表面は、パネルの表面の上方に突き出し且つ、把持手段から外方に伸びてレーンを形成する複数の隔てられた平行な長手方向リブと、隣接する各対のリブの間にて形成される紙製織要素を受け入れるレーンとにより分割される。
【０００９】
本発明の別の実施の形態において、支持パネルの表面は、支持パネルの表面に標識された表示によってレーンに分割される。
【００１０】
本発明の１つの実施の形態において、把持手段により保持された一列の並置した製織要素内の１つおきの製織要素の各々を持ち上げるよう作動可能な持ち上げ手段が提供される。
【００１１】
本発明の別の実施の形態において、持ち上げ手段は、支持体に取り付けられた複数の持ち上げアームを有し、該持ち上げアームは、支持パネルの下方の降下した不作動位置と、支持パネルの上方の上昇した作動位置との間を可動である。
【００１２】
本発明の１つの実施の形態において、持ち上げ手段は、クランプから隔てられて支持パネルに隣接する位置に取り付けられた回転可能な主軸を備え、該回転可能な主軸は、主軸支持体に回転可能に取り付けられ、該回転可能な主軸は、主軸を主軸の支持体にて回転させる駆動手段と、主軸から半径方向外方に突き出す多数の隔てられた持ち上げアームとを有し、持ち上げアームの各々が支持パネルにてレーンの１つと整合され且つ、主軸の回転によって、支持パネルの下方の不作動位置と、支持パネルの上方を伸びる上昇した作動位置との間を可動である。
【００１３】
本発明の別の実施の形態において、主軸にて隔てられた２組の持ち上げアームが提供され、各組の持ち上げアーム中の持ち上げアームは、支持パネルの各１つおきのレーンと整合され、第一の組の持ち上げアーム中の持ち上げアームは、支持パネルの奇数番号のレーンと整合し、第二の組の持ち上げアーム中の持ち上げアームは、支持パネルの偶数番号のレーンと整合する。
【００１４】
本発明の別の実施の形態において、持ち上げアームは、作動位置と不作動位置との間を可動であるよう支持パネルの関係したスロットを通って動くことができる。
【００１５】
本発明の更なる実施の形態において、主軸は、把持手段から遠方の支持パネルの一端に隣接して取り付けられ、上記持ち上げアームは、支持パネルの上記端部から外方に突き出す製織要素の下側部と係合可能である。
【００１６】
本発明の１つの実施の形態において、シートの引裂き装置は、１つの長い端縁に沿って互いにヒンジ式に接続された１対の細長いフラップを備え、該フラップの１つの自由端縁は、引裂き端縁を形成し、該フラップの幅は、形成すべき紙ストリップの所望の幅に相応する。
【００１７】
本発明の別の実施の形態において、シートの引裂き装置は、その間にて紙シートを受け取り得るようにヒンジ式に接続された少なくとも１つの引裂きフラップを有する基部パネルを備えている。
【００１８】
本発明の更なる実施の形態において、２つの引裂きフラップは、基部パネルの両側部にヒンジ式に取り付けられ、上記引裂きフラップは異なる幅である。
【００１９】
本発明の更なる実施の形態において、クリップは、基部パネルと引裂きフラップとの間に取り付けられたシートの内側端縁と係合し且つ、該内側端縁を保持するよう基部パネルに取り付けられ、また、引裂きフラップが基部パネルに対して折り畳まれたときクリップを受け入れるスロットが、引裂きフラップに提供される。
【００２０】
本発明の１つの実施の形態において、上記紙ストリップを折り畳んで紙製織要素を形成し易くするため紙ストリップに折り畳み線を標識するよう作動可能な折り畳みインジケータ装置が提供される。
【００２１】
本発明の別の実施の形態において、折り畳みインジケータ装置は、紙ストリップの折り畳み線をケン縮（ｃｒｉｍｐ）するケン縮装置を備えている。
【００２２】
本発明の更なる実施の形態において、ケン縮装置は、紙ストリップを受け入れ且つ紙ストリップをローラの間に完全に通過させる１対の回転可能なローラを有しており、該ローラは、ローラ支持体に回転可能に取り付けられ、ローラをローラ支持体の上にて回転させる駆動手段と、上記ローラの第一のローラの外方に突き出す１つ又はより多くの周縁リブと、上記ローラの第二のローラに設けられた各リブと関係した相補的な周縁溝とを備えている。
【００２３】
更なる実施の形態において、紙ストリップをローラの間に送り出す供給シュートが提供される。
【００２４】
１つの実施の形態において、供給シュートは、紙ストリップをローラに対して所望の向きに送り出す案内手段を有している。
【００２５】
別の実施の形態において、シュートは、摺動パネルの各側部に案内手段を形成する直立のフランジを有する平坦な摺動パネルを備えている。
【００２６】
更なる実施の形態において、製織補助具が組み込まれ、シートの引裂き装置が取り付けられるハウジングが提供される。
【００２７】
１つの実施の形態において、シートの引裂き装置は、ハウジングにて、関係した受け口（ソケット）内に摺動可能に取り付けられる。
【００２８】
別の実施の形態において、ケン縮装置はハウジングに取り付けられる。
【００２９】
更なる実施の形態において、ケン縮装置は、ハウジングに対して格納された位置と、外方に伸びた使用位置との間にてケン縮装置が動くのを許容する自在動作取り付け部によってハウジングに取り付けられる。
【００３０】
更なる実施の形態において、格納引出しがハウジングに取り付けられる。
【００３１】
１つの実施の形態において、ハウジングは、下方に垂下する側壁を有する製織補助具を形成する頂部を有しており、該側壁内に製織補助具の下方にてシートの引裂き装置及び格納引出しが収容されている。
【００３２】
別の実施の形態において、持ち上げ手段の主軸は、側壁の両側部の間にて回転可能に取り付けられている。
【００３３】
更なる実施の形態において、細長いシェイパーストリップが設けられ、該細長いシェイパーストリップの回りに紙ストリップを巻き付けて所望の幅の製織要素を形成することができる。
【００３４】
１つの実施の形態において、キットは、一端に紙の把持切欠きを有する細長い紙ローリングロッドを備えている。
【００３５】
更なる実施の形態において、キットは、所望の形状の本体を有するフォーマ（ｆｏｒｍｅｒ）を備えており、該フォーマの回りにて製織要素を織って上記所望の形状の物品を形成することができる。
【００３６】
別の実施の形態において、本発明は、製織ストリップを形成する装置であって、１つの長い端縁に沿って互いにヒンジ式に接続された１対の細長いフラップを有し、フラップの各々は、形成すべき紙ストリップの所望の幅に相応する幅である、シートの引裂き装置を有する上記製織ストリップを形成する装置を提供する。別の構成において、フラップは異なる寸法としてもよい。
【００３７】
別の実施の形態において、窓部が上記フラップの少なくとも１つに提供され、また、紙シートの端縁を上記窓部内の選んだ位置にて整合させる手段が提供される。
【００３８】
別の実施の形態において、１対の隔てられた窓部が提供される。
【００３９】
別の実施の形態において、装置は、一端にてストリップの端縁を把持する手段を有する細長いロッドを備える紙ローリングロッドを更に備えている。望ましくは、上記把持手段はロッド端部に切欠きを備えることができる。
【００４０】
別の実施の形態において、装置は、複数の並置したストリップを端縁を合わせた状態にて１列に締結する手段を有する製織補助具を更に備えている。
【００４１】
好ましくは、製織補助具は、底部パネルと、１つの端縁にて底部パネルにヒンジ式に取り付けられた頂部パネルとを有し、これらのパネルは、上記ヒンジ端縁においてパネル間にて製織ストリップの端縁を締結する閉じた位置と、開放した位置との間にて可動であるものとする。
【００４２】
別の実施の形態において、装置は、カップ、篭又は同様のもののような製織すべき目的物の所望の形状をしたフォーマを備え、該フォーマは、製織要素をフォーマにて解放可能に固定し、上記製織要素をフォーマにて所望の製織位置に保持する手段を備えている。
【００４３】
別の実施の形態において、紙シートを所望の寸法のストリップに裁断し、紙製織要素を形成する手段を含む紙の製織キットが提供される。該キットは、紙ストリップを細長い製織要素に形成する手段を含むこともできる。好ましくは、キットは、多数の製織要素を共に所望の物品、パネル及び同様のものに製織するのを助ける製織補助具を含むものとする。
【００４４】
本発明の別の形態において、紙ストリップを製織要素に形成するステップを含む製織方法が提供される。該方法は、使用済み新聞紙、雑誌及び同様のものを使用して製織要素を形成することに特に関し、また、この点に関して、該方法は、新聞紙シートをストリップに裁断し且つ、該ストリップから製織要素を形成するステップを含む。
【００４５】
本発明の別の実施の形態において、該方法は、裁断したストリップを折り畳むことにより細長い平坦な製織要素を形成するステップを含む。
【００４６】
別の実施の形態において、該方法は、紙の各ストリップを円筒状のフォーマの回りに巻くステップと、管状の巻いたストリップをフォーマから除去するステップと、管状の巻いたストリップを平坦にして１つの製織要素を形成するステップとを含む。
【００４７】
１つの代替的な構成において、該方法は、裁断したストリップを薄い細長いフォーマと係合させるステップと、ストリップを細長いフォーマの回りにて螺旋状に巻くステップとにより細長い製織要素を形成するステップを含む。
【００４８】
別の実施の形態において、該方法は、製織ストリップの外側に保護被覆を施すステップを含む。上記被覆は、更なる保護、強度、耐磨耗性を提供し且つ（又は）ストリップを耐水性又は防水性にするワニス又は同様のものを含むことができる。
【００４９】
本発明は、添付図面に関して単に一例として掲げたその幾つかの実施の形態の以下の説明により、より明確に理解されよう。
【発明を実施するための最良の形態】
【００５０】
図面を参照すると、図１ないし図５に示した装置の一部又は全ては、古新聞又は古雑誌から製織要素を形成するため、製織作業者が使用し得るようキットの形態にて提供することができる。
【００５１】
最初に、図１を参照すると、フラップ２、３の１つの長い端縁に沿ってヒンジ４によってヒンジ式に接続された１対の細長いフラップ２、３を備える、新聞紙シートの引裂き装置が全体として参照番号１にて示されている。フラップ２、３の各々の幅は、使用済みの新聞紙シートから引き裂かれる紙シートの所望の幅に相応するものであることが認識されよう。
【００５２】
使用時、使用済みの新聞紙シートの端縁をその間にてシートの端縁を締結するようヒンジ式に閉じられるフラップ２、３の間に挿入する。次に、フラップ２、３の間にストリップを残して、シートの残りをフラップの自由端縁５、６に沿って引き裂くこともできる。フラップ２、３を開放したとき、ストリップを除去し且つその後、図６に示した順序にて、各長い端縁から中心に向けて内方に折り畳み、次に、中心線の周りの２つの半体を互いに折り畳む。所望であれば、多数の追加的な内方への折り畳みを実行し、細長い折り畳んだ紙ストリップの製織要素５０を提供することができる。
【００５３】
次に、図２及び図３を参照すると、別のシートの引裂き装置が全体として参照番号１０にて示されている。シートの引裂き装置１０は、１つの長い端縁に沿ってヒンジ１３によりヒンジ式に接続された１対のフラップ１１、１２を備えている。フラップ１１、１２は、その間にて新聞紙部分を締結する重ね合わせ位置と、開放位置との間にてヒンジ１３により折り畳むこともできる。１対の隔たった窓部１４が前側フラップ１２に設けられている。紙の整合表示線１５、１６、１７がフラップ１２の前側面に設けられており、上記線１５、１６、１７の延長線は円形の窓部１４の中心を通っている。スロット２０、２１は、前側フラップ１２の頂端縁２２及び底端縁２３から内方に伸びている。各スロット２０、２１の内端縁２４、２５は、線１５、１６、１７と整合している。後側フラップ１１の頂端縁２８及び底端縁２９から内方を向いた１対のＶ字形切欠き２６、２７が、後側フラップ１１に設けられている。各Ｖ字形切欠き２６、２７の内側点は、図３に示すように、スロット２０、２１の内端縁２４、２５と整合している。
【００５４】
使用時、フラップ１１、１２が開放した状態にて、新聞紙シートの端縁をフラップ１１、１２の間に挿入し、次に、そのフラップを閉じてその間に新聞紙シートを締結することができる。次に、新聞紙シートをフラップ１１、１２の自由端縁３０、３１に沿って引き裂くことができる。新聞紙の端縁をヒンジ１３まで真っ直ぐに押し込むか又はこれと代替的に、その端縁は、前側フラップ１２の窓部１４を使用して線１５、１６、１７と整合させてもよい。この場合にも、所望の幅の紙ストリップが形成されたとき、そのストリップを長手方向軸線の回りにて多数回折り畳み、積層された細長い紙ストリップの製織要素を提供することができる。
【００５５】
次に、図４を参照すると、紙ローリングロッドが全体として参照番号４０にて示されている。該ロッド４０は、一端に紙係合切欠き４２を有する細長いロッド４１を備えている。
【００５６】
使用時、例えば、引き裂き装置１によって形成された紙ストリップの一端は、切欠き４２内に挿入され、次に、紙ストリップをロッド４１の回りにて螺旋状の態様にて巻き付ける。完全に巻かれたとき、紙ストリップを切欠き４２から非係合状態にし、その後、平坦にして細長い紙製織要素を形成することができる。
【００５７】
次に、図５を参照すると、製織補助具が全体として参照番号４５にて示されている。製織補助具４５は、実質的に、一端にばね荷重式締結板４７を有する支持パネル４６を備えている。複数の製織要素は、パネル４６にて横に並んだ状態に取り付け、製織要素の各々の内端が締結板４７の下方にて締結されるようにすることができる。次に、これらの製織要素は、パネル４６にて１組の並置した縦糸製織要素を形成する。次に、締結した縦糸製織要素の列を亙って上方及び下方にて、締結した縦糸製織要素を通じて更なる横糸製織要素を製織し、織ったパネルを形成することができる。多数の製織要素をパネル４６上にて横に並べて整合させるため１組の平行な隔てた線、溝又はリブ４８がパネル４６に設けられている。
【００５８】
図６には、図１の引き裂き装置により形成された紙ストリップ５１の折り畳みを示し、４つの紙の層を有する細長い紙製織要素５０を形成する段階を示している。最終的に折り畳んだとき、紙の合わさり端縁は、接着剤又は両面接着剤テープにより互いに接着され、このため、折り畳んだ製織要素５０はその形状を保持することになる。
【００５９】
細長い製織要素５０を使用して多数の異なる装飾用及び実用物品を製織することが可能であることが理解されよう。ボウル、籠、バッグ、靴、パネル等のような物品を製織することができる。
【００６０】
本発明は、古紙を使用する有用な方法及び装置を提供するものである。説明した様々な装置は、キットの形態にて提供し又は所望に応じて別個に提供することができる。
【００６１】
ハンドル及び同様のものを形成するため、使用済み紙のシートを長手方向軸線の回りにて互いに破砕し、製織要素を形成し、次に、これらの製織要素の幾つかを互いに編むことができる。
【００６２】
製造された物品の外側は、ワニス又は同様のものにて被覆し、密封、保護効果及び改良された耐磨耗性を提供することができる。
【００６３】
次に、図７ないし図２０を参照すると、本発明に従った紙製織キットが全体として参照番号６０にて示されている。上述したものと同様の部品は、同一の参照番号が付されている。該キット６０は、古紙から物品を製織するのを助ける多数の装置の部品を保持する格納ボックス６１を備えている。該装置は、液体接着剤のボトル６２と、接着剤を塗布する関係したブラシ６３とを有することができる。更に、又はこれと代替的に、接着剤スティック６４が設けられる。また、鋏６５と、通常、キット６０内に多数設けられる締結挟み６６とが図示されている。カップ又は同様の物品を形成するフォーマ６８が提供される。この装置は、プラスチック材料から便宜に製造することができ、また、円形の平坦な頂部７０を有する截頭円錐形本体６９を備えている。スパイク７１が頂部７０の中央にて上方に突き出して相補的な締結要素７２と係合する。使用時、多数の紙製織要素を締結要素７２と頂部７０との間にて締結し、その後、フォーマ６８の本体６９の外側の回りにて整形してカップ形状物を製織するのを助けることができる。
【００６４】
図１４には、シェイパーストリップ７５が示されている。これは、実質的に、細長い矩形の要素であり、該細長い矩形の要素の回りにて紙ストリップを巻いてシェイパーストリップ７５の幅に相応する所望の幅の製織要素を形成することができる。寸法の異なる多数のシェイパーストリップを提供することができる。
【００６５】
図１５には、上述した型式の紙ローリングロッド４０が示されている。
【００６６】
図１６には、寸法の異なるフラップ、すなわち新聞紙シートからフラップ８１の幅に相応する所望の幅の紙ストリップを引き裂く、小さい外側フラップ８１を有する新聞紙シートの引裂き装置８０が示されている。フラップ８１の内端は、ヒンジ８２によってより大きい後側フラップ８３と接続され、該後側フラップは、新聞紙シートをフラップ８１、８３の間に供給するとき、新聞紙シートに対する追加的な支持体を提供し、新聞紙シートを外側フラップ８１の自由端縁８４によって引き裂く前に、その間に締結することができる。
【００６７】
図１７には、別の新聞紙シートの引裂き装置８５が示されている。この場合、幅が増した紙ストリップを形成するため、より幅の広い外側フラップ８１が提供される。
【００６８】
次に、図１８ないし図２０を参照すると、キット６０の部分を形成する製織補助具９０が示されている。製織補助具９０は、矩形の基部支持パネル９１を有している。プラスチック製の締結要素９２がパネル９１の１つの側端縁に沿って取り付けられている。締結要素９２は、内壁９５によって相互に接続された１対の締結アーム９３、９４を有するＣ字形をしており、これらアーム９３、９４は、壁９５の両側部から内方にテーパーが付けられている。多数の縦糸製織要素５０をアーム９３、９４の外側自由端の間にて開口部９６を通して挿入し、該アームは、パネル９１を亙って位置する縦糸製織要素５０を締結して製織を助ける。縦糸製織要素５０がパネル９１を亙って位置するとき、追加的な横糸製織要素５０を連続的な締結した縦糸製織要素５０の上方及び下方にて製織し、製織補助具９０上に織ったパネルを形成することができる。
【００６９】
次に、図２１ないし図２７を参照すると、別の紙製織キットが全体として参照番号１００にて示されている。該キット１００は、ボックス状ハウジングすなわち本体１０６を有している。本体１０６の頂部は、全体として参照番号１０７にて示した製織補助具を形成する。ケン縮装置１０８が本体１０６の一側部に取り付けられている。取り外し可能なシートの引裂き装置１０９が、本体１０６の前端にて本体１０６内に摺動可能に取り付けられている。格納引き出し１１０は、また、本体１０６の一側部にて本体１０６内に取り付けられている。
【００７０】
製織補助具１０７は、支持パネル１１２を備えている。パネル１１２における多数の平行な長手方向直立リブ１１３がパネルを多数の通路又はレーン１１４に分割し、これら通路又はレーンの各々は、製織要素を受け入れる。固定のクランプ１１５が本体１０６の後端に取り付けられている。固定のクランプ１１５は、中央バンド１１９と、本体１０６の一側部にてヒンジ１１７により取り付けられた湾曲した内端１１６とを有するＣ字形をしている。固定のクランプ１１５の湾曲した外端１１８は、本体１０６の一側部にて関係した係止溝１２５とスナップ係合し得るようにされている。指握りタブ１１９ａが自由な外端１１８に設けられている。湾曲した端部１１６、１１８は、本体１０６の上側端縁の湾曲した輪郭に従う。クランプ１１５は、パネル１１２から上方にヒンジ移動して、該クランプに対して垂直な平面内に離れる。
【００７１】
可動のクランプ１２０は、本体１０６の頂部と解放可能にスナップ係合し得るようにもされている。可動のクランプ１２０は、パネル１１２を亙って伸びる中央バンド１２１を有するＣ字形本体を備えている。湾曲端部片１２２は、本体１０６の上側端縁の回りにて湾曲している。これらの端部片１２２の各々は、内方に伸びる耳状突起１２４を自由な外端に有しており、本体１０６の各側部１２６に沿って伸びる係止溝１２５とスナップ係合する。このように、可動のクランプ１２０は、パネル１１２に沿った任意の位置に配置することが可能であることが理解されよう。上方に突き出す手握り部１２７が中央バンド１２１に取り付けられている。
【００７２】
本体１０６の前端には、製織補助具１０７の一部を形成する持ち上げ機構１２８が設けられている。該持ち上げ機構１２８は、本体１０６の両側壁１２６の間に取り付けられて、本体１０６内にて回転可能に取り付けられた回転可能な主軸１２９を有する。側壁１２６を貫通して突き出す主軸１２９の一端における手操作ハンドル１３０を、手操作にて操作して主軸１２９を回転させることができる。多数の隔てられた持ち上げアーム１３１が主軸１２９から半径方向に突き出し且つ、主軸１２９の間接的に上方に位置するパネル１１２の各レーン１１４内に設けられた相補的なスロット１３２を通って可動である。これらの持ち上げアーム１３１は、１つおきのスロット１３２を通って外方に突き出す持ち上げアーム１３１の列として配置され、このため、パネル１１２のレーン１１４内に取り付けられた１つおきの縦糸製織要素を持ち上げることが認識されよう。このように、図２６に示すように、持ち上げアーム１３１は、製織補助具１０７のパネル１１２の１つおきのレーン１１４から上方に突き出す。主軸１２９を回転させることにより、現在露出している持ち上げアーム１３１が、パネル１１２の下方に移動し、また、別の組の持ち上げアーム１３１が、他方の代替的なレーン１１４のスロット１３０から出るであろう。
【００７３】
ケン縮装置１０８は、１対の端部支持体１３７、１３８の間にて回転可能に取り付けられた１対のケン縮ローラ１３５、１３６を有する。外端の支持体１３８における外方に突き出す手操作ハンドル１３９は、ローラ１３５、１３６を手操作にて回転させ得るよう操作可能である。第一のローラ１３５における３つの隔てられた周縁リブ１３４は、第二のローラ１３６の３つの相補的な周縁溝１３３と協働する。供給シュート１４０が紙シートをローラ１３５、１３６の間にて送り出し、また、直立の側部フランジ１４２を有する摺動パネル１４１を備え、紙シートをローラ１３５、１３６を通して真直ぐに案内する。ケン縮装置１０８の内端の支持体１３７は、旋回自在の取り付け部１４４により本体１０６の前端にて側方向に突き出すフランジ１４５に取り付けられている。このように、ケン縮装置１０８は、本体１０６の側壁１２６に対する格納位置（図２１）と、外方に伸びる使用中の位置（図２６）の間にて自在動作する。
【００７４】
シートの引裂き装置１０９は、摺動レール２００によって本体１０６内に取り付けられている。ハンドル２０１が外端に設けられてシートの引裂き装置１０９を把持し且つ摺動させて、パネル１１２の下方の本体１０６の関係した受け入れ受け口（ソケット）２０２内に入り且つ該受け口から出るようにする。係止機構２０２ａは、シートの引裂き装置１０９を本体１０６内にて解放可能に固定し、また、解放されたとき、シートの引裂き装置１０９を使用するため本体１０６から取り外すことを許容する。シートの引裂き装置１０９は、基部パネル２０３を有している。引き裂きフラップ２０４、２０５は、基部パネル２０３の各側部にてヒンジ２０６、２０７によって取り付けられている。基部パネル２０３の側端縁に隣接して基部パネル２０３に取り付けられたばねクリップ２０８、２０９は、引き裂きフラップ２０４、２０５の関係した開口部２１０、２１１を通って上方に突き出す。引き裂きフラップは、製織要素５０を形成するよう幅の異なる紙ストリップを形成すべく幅が異なる。
【００７５】
格納引き出し１１０は、指握り部２１０を有しており、また、ヒンジ２１１によって本体１０６に取り付けられ、このため、該引き出しは、垂直方向軸線の回りにて回動し、本体１０６の一側部にて自在動作して、本体１０６に入り且つ本体１０６から出る。
【００７６】
使用時、シートの引裂き装置１０９は本体２０６から取り外す。新聞紙、雑誌又は同様のもののシートを引き裂くべきストリップの幅に依存して、フラップ２０４、２０５の一方と基部パネル２０３との間に挿入し、また、クリップ２０８、２０９によって把持する。フラップ２０４、２０５が閉じた状態に保持されたとき、要求される幅のストリップを残して、紙はフラップ２０４、２０５の内端縁２１４、２１５に沿って引き裂くことができる。フラップ２０４、２０５を開放し、次に、この紙ストリップをクリップ２０８、２０９から除去する。
【００７７】
ケン縮装置１０８が図２６に示した外方の使用中の位置にあるとき、紙ストリップは、ローラ１３５、１３６の間にてシュート１４０に沿って供給される。３つの隔てられた周縁リブ１３４及びローラ１３５、１３６における溝１３３は、協働して３つの長手方向に平行な折り畳み線を紙ストリップ内にケン縮する。次に、上述したように、紙ストリップをケン縮した線の周りにて折り畳み、製織要素５０を形成することができる。このように、複数の製織要素５０が形成される。
【００７８】
次に、多数の製織要素５０を製織補助具１０７に取り付ける。可動のクランプ１２０が取り外され、固定のクランプ１１５が開放した位置にあるとき、多数の製織要素５０は製織補助具１０７に取り付けられ、縦糸製織要素５０を形成し、１つの製織要素５０は、パネル１１２のレーン１１４の各々に取り付けられる。次に、固定のクランプ１１５を自在動作させて閉じ、縦糸製織要素５０の内端をパネル１１２上に締結する。手操作ハンドル１２８を回すことにより、持ち上げ機構１２８の持ち上げアーム１３１は、各１つおきの縦糸製織要素５０の下端をパネル１１２の上方に上昇させる。次に、横糸製織要素５０を、上昇した縦糸要素５０及び下降した縦糸製織要素５０の間に供給することができる。手操作ハンドル１３０を更に回すと、上昇した縦糸製織要素５０は下降し、次の隣接する縦糸製織要素５０は上昇し、次に、第二の横糸製織要素５０を、パネル１１２において上昇した縦糸要素５０及び下降した縦糸製織要素５０の間に供給する。この過程は、１つおきの縦糸製織要素５０を交互に上昇及び下降させ、横糸製織要素５０をその間に挿入することを続行させ、製織パネル補助具１０７上にパネルを形成させる。幾つかの列が織られたとき、縦糸製織要素５０の自由端が持ち上げ機構１２８により上昇し及び下降する際に、可動のクランプ１２０を使用して、織った部分をパネル１１２に対し強固に維持することができる。パネル１１２よりも長い織ったパネルは、クランプ１１５、１２０を解放し且つ、固定のクランプ１１５を再係合させる前に、織ったパネルの織った部分を固定のクランプ１１５を通して動かし、その後、その前と同様に、製織を続行することにより形成することができる。
【００７９】
次に、図２８ないし図３５を参照すると、別の製織キットが全体として参照番号２２０にて示されている。この製織キット２２０は、図２１に示した製織キットと大部分、同様であり、同様の部品は同一の参照番号で表示されている。しかし、この場合、製織補助具１０７のパネル１１２は、多少短くされており、また、持ち上げ機構１２８は露出している。
【００８０】
次に、図３６を参照すると、別の製織キットが全体として参照番号１５０にて示されている。該キット１５０は、シートカッター１５１と、製織補助具１５２と、要素フォーマ１５３と、ワインダ１５４と、モータ駆動の巻き取りロッド１５５とを有している。
【００８１】
カッター装置１５１は、一側部に直立壁１５９を有する基部支持体１５８を備えている。カッター１６０は、壁１５９に対して平行なカッターレール１６１に摺動可能に取り付けられている。カッターレール１６１の内端は、カッターレール１６１を壁１５９に向けて又は壁１５９から離れるように動かし、壁１５９とカッター１６０との間の間隔を調節し得るようロッド１６２に摺動可能に取り付けられている。紙シートは、前縁が壁１５９に当接する状態にて基部１５８に取り付けられている。次に、レール１６１が壁１５９から所望の位置に配置されるように、レール１６１を調節する。次に、カッター１６０をレール１６１に沿って引っ張ってシートの前縁を分離させ、紙ストリップを形成し、その後、上述したように、その紙ストリップを製織要素５０に形成することができる。これを助けるため、紙ストリップはフォーマ１５３の回りに巻くことができ、その後、このフォーマ１５３を、巻いたストリップの中心から除去する。
【００８２】
ワインダ１５４は、紙グリッパ１６６を有する円板１６５を備えている。円板１６５は、支持フレーム１６７に回転可能に取り付けられ且つ、取り外し可能なモータ１６８が係合し、該モータは、円板１６５を回転させ紙製織要素をグリッパ１６６の回りに巻いて円形のパネルを形成するよう作動可能である。モータ１６８は、フレーム１６７と共に、円板１６５を回転可能に支持する三脚を形成する。
【００８３】
モータ１６８は、円板１６５から非係合状態にし、また、巻き取りロッド１６９をモータ駆動装置と係合させ、モータ１６８が、ロッド１６９を軸方向に回転させるよう作動可能であるようにすることができる。このように、紙ストリップはロッド１６９の回りにて螺旋状の態様にて巻くことができる。
【００８４】
製織補助具１５２は、上述した製織補助具と実質的に同様であり、同様の部品は同一の参照番号にて表示されている。
【００８５】
次に、図３７を参照すると、別の製織キットが全体として参照番号１７０にて示されている。上述したものと同様の部品は同一の参照番号にて表示されている。これらは、製織補助具４５と、フォーマ１０３と、手動ワインダ１０４と、両面接着テープのディスペンサ１０５と、シートの引裂き装置１とを有する。この場合、寸法の異なるシートの引裂き装置１が提供される。また、最上側フラップ３は最下側フラップ２よりも短いことも認識されよう。最上側フラップ３の自由端縁６は、直立のフランジを有しており、このことは、引き裂き端縁を提供し、該引き裂き端縁に沿ってフラップ２、３の間に挿入された新聞紙シートが引き裂かれて、上側フラップ３の幅に相応する所望の幅の紙ストリップを形成することになる。ワインダ１０４は、直立の中央耳状突起７２を有する円形本体１７１を備えており、該円形本体の回りに製織要素を巻いてカップ、花瓶又は同様の物品用の円形の基部を形成する。
【００８６】
次に、図３８ないし図４０を参照すると、製織補助具が全体として参照番号１８０にて示されている。製織補助具１８０は、上述した装置を使用して形成された複数の製織要素からパネルを製織するためのものである。製織補助具１８０は、スロット１８２内にて横に並べて取り付けられた複数の並置した製織要素の一端を受け入れる細長いスロット１８２を有する基部１８１を備えている。スロット１８２の弾性側部１８３、１８４は、その間に製織要素の端部を締結する。基部１８１の各端部には、１対の直立の隔てた案内ポスト１８５が設けられており、基部１８１のスロット１８２と整合して各対のポスト１８５の間に設けられたスロット１８６、１８７は、製織要素１８８を下方に案内してスロット１８２内に締結された関係した製織要素１８７と互いに製織することを可能にする。図３３にて理解し得るように、交互の製織要素１８７が、基部１８１の両側部に位置しており、次に、製織要素１８８（横糸製織要素を形成する）をスロット１８６、１８７を通して下方に送り出し、製織要素１８７と係合させる。次に、製織要素１８７を基部１８１の反対側部まで横断させ、製織要素１８８を把持し且つ互いに製織する。次に、更なる製織要素１８８をポスト１８５の間にて下方に送り出し、製織要素１８７と係合させる。この過程は、相互に織った製織要素１８７、１８８のパネルが形成されるよう反復する。
【００８７】
基部１８１の一端におけるポスト１８５は、図３２に示すように、取り外して製織要素１８７を基部１８１のスロット１８２内へ供給し易いようにすることができる。ポスト１８５の下端の差込み部１８９は、基部１８１の端面の相補的な受け口１９０と係合し、ポスト１８５を基部１８１の端部にて直立の位置に取り付ける。
【００８８】
本発明は、特許請求の範囲内にて構造及び細部の双方にて変更することができ、上述した実施の形態にのみ限定されるものではない。
【図面の簡単な説明】
【００８９】
【図１】本発明に従ったシートの引裂き装置の斜視図である。
【図２】本発明に従った別のシートの引裂き装置の斜視図である。
【図３】図２に示したシートの引裂き装置の平面図である。
【図４】ストリップローリングロッドの斜路図である。
【図５】本発明の装置の製織補助具の形成部分の斜視図である。
【図６】細長い紙製織要素を形成する順序的なステップを示す図である。
【図７】本発明に従った製織キットの斜視図である。
【図８】図７の製織キットの色々な要素を示す図である。
【図９】図７の製織キットの色々な要素を示す図である。
【図１０】図７の製織キットの色々な要素を示す図である。
【図１１】図７の製織キットの色々な要素を示す図である。
【図１２】図７の製織キットの色々な要素を示す図である。
【図１３】図７の製織キットの色々な要素を示す図である。
【図１４】図７の製織キットの色々な要素を示す図である。
【図１５】図７の製織キットの色々な要素を示す図である。
【図１６】キットの２つのシートの引裂き装置を形成する部分の図である。
【図１７】キットの２つのシートの引裂き装置を形成する部分の図である。
【図１８】キットの製織補助具の形成部分の平面図である。
【図１９】図１８の製織補助具の斜視図である。
【図２０】図１８に示した製織補助具の端面図である。
【図２１】本発明の別の実施の形態による製織キットの斜視図である。
【図２２】図２１の製織キットの平面図である。
【図２３】図２１の製織キットの端面図である。
【図２４】図２１の製織キットの側面図である。
【図２５】図２４に示した側と反対側から見た図２１に示した製織キットの別の側面図である。
【図２６】開放した使用中の位置にて示した図２１の製織キットの斜視図である。
【図２７】図２６に示した位置に従った製織キット部分の平面図である。
【図２８】別の製織キットの斜視図である。
【図２９】図２８に示した製織キットの平面図である。
【図３０】図２８に示した製織キットの右側面図である。
【図３１】図２８に示した製織キットの左側面図である。
【図３２】図２８に示した製織キットの後端面図である。
【図３３】図２８に示した製織キットの前端面図である。
【図３４】開放した使用中の位置にある製織キットを示す、図２８に示した製織キットの斜視図である。
【図３５】図３４に示した位置に相応する使用位置にある、図２８に示した製織キットの平面図である。
【図３６】更なる製織キットの斜視図である。
【図３７】更に別の製織キットの斜視図である。
【図３８】製織補助具の斜視図である。
【図３９】別の使用位置にある、図３８に示した製織キットの詳細な斜視図である。
【図４０】使用位置にある、図３８の製織補助具の斜視図である。
【図１】
2008519172.tif 000003
【図２】
2008519172.tif 000004
【図３】
2008519172.tif 000005
【図４】
2008519172.tif 000006
【図５】
2008519172.tif 000007
【図６】
2008519172.tif 000008
【図７】
2008519172.tif 000009
【図８】
2008519172.tif 000010
【図９】
2008519172.tif 000011
【図１０】
2008519172.tif 000012
【図１１】
2008519172.tif 000013
【図１２】
2008519172.tif 000014
【図１３】
2008519172.tif 000015
【図１４】
2008519172.tif 000016
【図１５】
2008519172.tif 000017
【図１６】
2008519172.tif 000018
【図１７】
2008519172.tif 000019
【図１８】
2008519172.tif 000020
【図１９】
2008519172.tif 000021
【図２０】
2008519172.tif 000022
【図２１】
2008519172.tif 000023
【図２２】
2008519172.tif 000024
【図２３】
2008519172.tif 000025
【図２４】
2008519172.tif 000026
【図２５】
2008519172.tif 000027
【図２６】
2008519172.tif 000028
【図２７】
2008519172.tif 000029
【図２８】
2008519172.tif 000030
【図２９】
2008519172.tif 000031
【図３０】
2008519172.tif 000032
【図３１】
2008519172.tif 000033
【図３２】
2008519172.tif 000034
【図３３】
2008519172.tif 000035
【図３４】
2008519172.tif 000036
【図３５】
2008519172.tif 000037
【図３６】
2008519172.tif 000038
【図３７】
2008519172.tif 000039
【図３８】
2008519172.tif 000040
【図３９】
2008519172.tif 000041
【図４０】
2008519172.tif 000042
【国際調査報告】
2008519172.tif 000043
2008519172.tif 000044